(57)【要約】【課題】キャビネット全体の厚さを増やすことなく、リブの補強をする。【解決手段】金型により少なくとも５°以上の抜き角で成形されるとともに、少なくとも一部の表面にシボ仕上げが施されたリアキャビネット１と、このリアキャビネットに形成されたリブ１２，１３を介してリアキャビネットと嵌合されるフロントキャビネット２と、を備えた電子機器のキャビネット１００において、リブをリアキャビネットの上縁部及び側縁部に形成し、リブの裏面に、リブの先端部よりもリアキャビネットの前方に突出するとともに、リアキャビネットの前後方向に対して１°の傾斜をなす補強肉厚部１５を形成した。【選択図】図１                                                                  
0003107249.tif 000002
【実用新案登録請求の範囲】
【請求項１】
金型により少なくとも５°以上の抜き角で成形されるとともに、少なくとも一部の表面にシボ仕上げが施されたリアキャビネットと、このリアキャビネットに形成されたリブを介して前記リアキャビネットと嵌合されるフロントキャビネットと、を備えた電子機器のキャビネットにおいて、
前記リブを前記リアキャビネットの上縁部及び側縁部に形成し、
前記リブの裏面に、前記リブの先端部よりも前記リアキャビネットの前方に突出するとともに、前記リアキャビネットの前後方向に対して１°の傾斜をなす補強肉厚部を形成したことを特徴とする電子機器のキャビネット。
【請求項２】
金型により少なくとも５°以上の抜き角で成形されるとともに、少なくとも一部の表面にシボ仕上げが施されたリアキャビネットと、このリアキャビネットに形成されたリブを介して前記リアキャビネットと嵌合されるフロントキャビネットと、を備えた電子機器のキャビネットにおいて、
前記リブの裏面に、前記リアキャビネットの前後方向に対して０°より大きく前記抜き角よりも小さい角度で傾斜する補強肉厚部を形成したことを特徴とする電子機器のキャビネット。
【請求項３】
前記補強肉厚部は、前記リアキャビネットの前後方向に対しての傾斜角が１°であることを特徴とする請求項２に記載の電子機器のキャビネット。
【請求項４】
前記補強肉厚部を、前記リブの先端部よりも前記リアキャビネットの前方に突出させたことを特徴とする請求項２又は３に記載の電子機器のキャビネット。
【請求項５】
前記補強肉厚部を、前記リアキャビネットの上縁部及び側縁部に形成されたリブに形成したことを特徴とする請求項１〜４のいずれか一項に記載の電子機器のキャビネット。
【考案の詳細な説明】
【技術分野】
【０００１】
本考案は、電子機器のキャビネットに関する。
【背景技術】
【０００２】
テレビ等の電子機器においては、基板や電子部品を外部からの衝撃や埃から保護するために、外側をキャビネットで覆うように構成されている。このキャビネットは、フロントキャビネットとリアキャビネットに分割されており、両者を嵌合させてキャビネットを組み立てることができるようになっている。
【０００３】
リアキャビネットには、フロントキャビネットと嵌合させるためのリブが形成されており、このリブには多くの工夫がなされている。例えば、フロントキャビネットとリアキャビネットを容易に嵌合させるためにリブの角部側の両端部から中央に向かって凹となる凹曲縁を形成したものが開示されている（例えば、特許文献１参照。）。また、フロントキャビネットにリブを係合させる係合用爪を形成して、キャビネットの組立や取り外しを容易にしたものや（例えば、特許文献２参照。）、リブのコーナー部を内方に屈曲させてフロントキャビネットに直接当接しないように構成し、落下時のわれを防止することができるものが開示されている（例えば、特許文献３参照。）。
【特許文献１】特開２００２−３１４９０１号公報
【特許文献２】特開２０００−３２４４２５号公報
【特許文献３】特開平１１−２１５４４９号公報
【考案の開示】
【考案が解決しようとする課題】
【０００４】
ところで、図４に示すように、フロントキャビネット１１１とリアキャビネット１１２との嵌合部は、リブ１１３を介して嵌合されているだけなので、外部応力や衝撃に弱く、補強をすることが望ましいが、小型の電子機器においては補強部材を設けるスペースがなく、補強が困難であった。そのため、キャビネット全体を厚くして強度を高める方法が考えられるが、キャビネット全体の重量が増加するほか、キャビネット全体の生産コストが増加するという問題があった。
【０００５】
そこで、本考案は、上記課題を解決するためになされたものであり、キャビネット全体の厚さを増やすことなく、リブの補強をすることができる電子機器のキャビネットを提供することを目的とする。
【課題を解決するための手段】
【０００６】
上記課題を解決するため、請求項１に記載の考案は、金型により少なくとも５°以上の抜き角で成形されるとともに、少なくとも一部の表面にシボ仕上げが施されたリアキャビネットと、このリアキャビネットに形成されたリブを介して前記リアキャビネットと嵌合されるフロントキャビネットと、を備えた電子機器のキャビネットにおいて、前記リブを前記リアキャビネットの上縁部及び側縁部に形成し、前記リブの裏面に、前記リブの先端部よりも前記リアキャビネットの前方に突出するとともに、前記リアキャビネットの前後方向に対して１°の傾斜をなす補強肉厚部を形成したことを特徴とする。
【０００７】
ここで、抜き角とは、成形時に金型をリアキャビネットの後方に抜く場合におけるリアキャビネットの前後方向と金型表面のなす角をいう。リアキャビネットの表面にシボ仕上げを施す際には、金型とリアキャビネットとの摩擦により金型が容易に抜けなくなるため、状況に応じて適切な抜き角で型抜きが行われる。
【０００８】
請求項２に記載の考案は、金型により少なくとも５°以上の抜き角で成形されるととも
に、少なくとも一部の表面にシボ仕上げが施されたリアキャビネットと、このリアキャビネットに形成されたリブを介して前記リアキャビネットと嵌合されるフロントキャビネットと、を備えた電子機器のキャビネットにおいて、前記リブの裏面に、前記リアキャビネットの前後方向に対して０°より大きく前記抜き角よりも小さい角度で傾斜する補強肉厚部を形成したことを特徴とする。
【０００９】
請求項３に記載の考案は、請求項２に記載の電子機器のキャビネットにおいて、前記補強肉厚部は、前記リアキャビネットの前後方向に対しての傾斜角が１°であることを特徴とする。
【００１０】
請求項４に記載の考案は、請求項２又は３に記載の電子機器のキャビネットにおいて、前記補強肉厚部を、前記リブの先端部よりも前記リアキャビネットの前方に突出させたことを特徴とする。
【００１１】
請求項５に記載の考案は、請求項１〜４のいずれか一項に記載の電子機器のキャビネットにおいて、前記補強肉厚部を、前記リアキャビネットの上縁部及び側縁部に形成されたリブに形成したことを特徴とする。
【考案の効果】
【００１２】
請求項１に記載の考案によれば、リアキャビネットは金型により少なくとも５°以上の抜き角で成形されるので、リアキャビネットの側壁は、リブ側に向かうにつれて、その前後方向に対して抜き角だけ外側に傾斜した状態で形成される。これにより、リアキャビネットの内部空間が、リブ側に向かうにつれて増加することとなる。
【００１３】
ここで、補強肉厚部は、リアキャビネットの上縁部及び側縁部に形成されたリブの裏面に、リアキャビネットの前後方向に対して１°の傾斜をなすように形成されているため、補強肉厚部は、リアキャビネットが傾斜することにより広がった内部空間の増加した領域内に設けられていることとなるので、僅かなスペースを有効に利用してリブの補強を行うことができる。従って、キャビネット全体の厚さを増やすことなく、リブの補強をすることができる。
【００１４】
また、リアキャビネットの前後方向に対して１°の傾斜をなすように形成されているため、リアキャビネットが傾斜することにより広がった内部空間の増加した領域内をほぼ全域にわたって利用することができるので、リブの補強を強固にすることができる。
【００１５】
また、補強肉厚部は、リブの先端部よりもリアキャビネットの前方に突出するように形成されているため、補強肉厚部でリブの一部を形成することができ、補強肉厚部でリブの補強を図ることができるとともに、フロントキャビネットとリアキャビネットを接合するリブとしても用いることができる。
【００１６】
また、上縁部のリブに補強肉厚部を形成することにより、キャビネットの落下衝撃に対する耐性を向上させることができる。また、側縁部のリブに補強肉厚部を形成することにより、キャビネットの振動に対する耐性を向上させることができる。
【００１７】
請求項２に記載の考案によれば、リアキャビネットは金型により少なくとも５°以上の抜き角で成形されるので、リアキャビネットの側壁は、リブ側に向かうにつれて、その前後方向に対して抜き角だけ外側に傾斜した状態で形成される。これにより、リアキャビネットの内部空間が、リブ側に向かうにつれて増加することとなる。
【００１８】
ここで、補強肉厚部は、リブの裏面に、リアキャビネットの前後方向に対して０°より大きく抜き角よりも小さい角度で傾斜するように形成されている、換言すれば、補強肉厚部は、リアキャビネットが傾斜することにより広がった内部空間の増加した領域内に設けられているので、僅かなスペースを有効に利用してリブの補強を行うことができる。
【００１９】
従って、キャビネット全体の厚さを増やすことなく、リブの補強をすることができる。
【００２０】
請求項３に記載の考案によれば、補強肉厚部は、リアキャビネットの前後方向に対しての傾斜角が１°となるように形成されているため、リアキャビネットが傾斜することにより広がった内部空間の増加した領域内をほぼ全域にわたって利用することができるので、リブの補強を強固にすることができる。
【００２１】
請求項４に記載の考案によれば、補強肉厚部は、リブの先端部よりもリアキャビネットの前方に突出するように形成されているため、補強肉厚部でリブの一部を形成することができ、補強肉厚部でリブの補強を図ることができるとともに、フロントキャビネットとリアキャビネットを接合するリブとしても用いることができる。
【００２２】
請求項５に記載の考案によれば、上縁部のリブに補強肉厚部を形成することにより、キャビネットの落下衝撃に対する耐性を向上させることができる。また、側縁部のリブに補強肉厚部を形成することにより、キャビネットの振動に対する耐性を向上させることができる。
【考案を実施するための最良の形態】
【００２３】
以下、図面を参照して、本考案に係る電子機器のキャビネットの最良の形態について詳細に説明する。なお、本実施形態においては、テレビのキャビネットを例に挙げて説明する。
＜キャビネットの構成＞
図１及び図２に示すように、キャビネット１００は、前面にＣＲＴ（陰極線管）を内設させるための略矩形の開口１１を有するリアキャビネット１と、このリアキャビネット１の前面に自身の後面を嵌合させる額縁状のフロントキャビネット２と、を備えている。
【００２４】
リアキャビネット１は、金型により少なくとも５°以上の抜き角（本実施形態では５°とする）で成形されており、少なくとも一部の表面には梨地等のシボ仕上げが施されている。リアキャビネット１は、プラスチック等により略箱状に形成され、前面に開口１１が形成されている。また、リアキャビネット１は、開口１１が形成された前面から後方に向かうにつれて横断面が狭まる形状とされており、内部空間も開口１１に近づくにつれて広がるように形成されている。この開口１１の上縁部には、フロントキャビネット２と嵌合させるための上リブ１２が前方に突出して形成され、開口１１の側縁部には、フロントキャビネット２と嵌合させるための側リブ１３が前方に突出して形成されている。
【００２５】
リアキャビネット１の先端部の裏側及び各リブ１２，１３の裏側には、リアキャビネット１の前後方向に対して０°より大きく抜き角５°よりも小さい角度で傾斜する補強肉厚部１５が形成されている。
【００２６】
補強肉厚部１５は、例えば、リアキャビネット１の前後方向に対しての傾斜角が１°となるように形成されており、リアキャビネット１の先端部の裏側から上リブ１２及び側リブ１３にわたって連続するように形成されている。これにより、上リブ１２及び側リブ１３を補強することができるようになっている。
【００２７】
ここで、傾斜角が１°の補強肉厚部１５とは、図３に示すように、リアキャビネット１の前後方向に沿った直線をＩとし、５°の抜き角によって形成されたリアキャビネット１の裏面に沿った直線をＩＩとすると、直線Ｉから直線ＩＩの方向にＯ点を中心として１°傾斜させた直線ＩＩＩと直線ＩＩとの間に形成される領域を埋める補強肉厚部１５のことをいう。
【００２８】
従って、リアキャビネット１成形時の金型の抜き角が５°であった場合、補強肉厚部１５の傾斜角が５°に近づくにつれて補強肉厚部１５は次第に薄くなり、傾斜角が５°以上の補強肉厚部１５は当然形成することができない。逆に、傾斜角が０°に近づくにつれて補強肉厚部１５は次第に厚くなる。ただし、リアキャビネット１の前後方向に対して逆に傾斜させて厚くする、すなわち、各リブ１２，１３の裏側から遠ざかるように傾斜させる
ことは、成形時に金型が抜けなくなってしまうほか、電子部品や基板の配置を阻害してしまうので好ましくない。また、傾斜角を０°としても、成形時に金型が非常に抜きにくくなってしまう。そこで、補強肉厚部１５の傾斜角は、成形時の作業性、補強の強度を考慮して僅かに傾斜させた１°であることが好ましい。
【００２９】
また、補強肉厚部１５は、各リブ１２，１３の先端部よりもリアキャビネット１の前方に突出するように形成されている。
【００３０】
フロントキャビネット２は、アルミニウムのような軽金属やプラスチック等により枠状に形成されている。フロントキャビネット２の上縁部は上リブ１２を介してリアキャビネット１に嵌合され、フロントキャビネット２の側縁部は側リブ１３を介してリアキャビネット１に嵌合されている。
【００３１】
ここで、図３に示すように、リアキャビネット１は、上述したようにその前後方向に対して抜き角５°で外側に傾斜しており、フロントキャビネット２の後方の上縁部はリアキャビネット１の上リブ１２に係合され、フロントキャビネット２の後方の側縁部はリアキャビネット１の側リブ１３に係合されている。
【００３２】
そして、リアキャビネット１の裏面から各リブ１２，１３にわたって補強肉厚部１５が形成されていることから、リアキャビネット１とフロントキャビネット２の嵌合部は、補強肉厚部１５の形成により、リアキャビネット１及びフロントキャビネット２の厚さよりも厚みがあるため、嵌合部の強度を高めることができるようになっている。
＜実施形態における作用効果＞
以上のように、本考案に係るテレビのキャビネット１００によれば、リアキャビネット１は金型により５°の抜き角で射出成形されるので、リアキャビネット１の側壁は、上リブ１２及び側リブ１３側に向かうにつれて、その前後方向に対して抜き角５°だけ外側に傾斜した状態で形成される。これにより、リアキャビネット１の内部空間が、上リブ１２及び側リブ１３に向かうにつれて増加することとなる。
【００３３】
ここで、補強肉厚部１５は、上リブ１２及び側リブ１３の裏面に、リアキャビネット１の前後方向に対して１°で傾斜するように形成されている。すなわち、補強肉厚部１５は、リアキャビネット１が傾斜することにより広がった内部空間の増加した領域内に設けられているので、僅かなスペースを有効に利用して上リブ１２及び側リブ１３の補強を行うことができる。
【００３４】
従って、キャビネット１００全体の厚さを増やすことなく、上リブ１２及び側リブ１３の補強をすることができる。
【００３５】
また、補強肉厚部１５は、リアキャビネット１の前後方向に対しての傾斜角が１°となるように形成されているため、リアキャビネット１が傾斜することにより広がった内部空間の増加した領域内をほぼ全域にわたって利用することができるので、上リブ１２及び側リブ１３の補強を強固にすることができる。
【００３６】
また、補強肉厚部１５は、各リブ１２，１３の先端部よりもリアキャビネット１の前方に突出するように形成されているため、補強肉厚部１５で各リブ１２，１３の一部を形成することができ、補強肉厚部１５で各リブ１２，１３の補強を図ることができるとともに、フロントキャビネット２とリアキャビネット１を接合するリブとしても用いることができる。
【００３７】
また、上リブ１２に補強肉厚部１５を形成することにより、キャビネット１００の落下衝撃に対する耐性を向上させることができる。また、側リブ１３に補強肉厚部１５を形成することにより、キャビネット１００の振動に対する耐性を向上させることができる。
【００３８】
なお、本考案は、上記実施形態に限定されるものではない。例えば、リアキャビネットを射出成形する際の金型の抜き角は５°に限られず、自由に変更可能である。また、リアキャビネットの前後方向に対する補強肉厚部の傾斜角は１°に限らず、０°から抜き角の範囲内であれば自由に変更可能である。また、補強肉厚部は、上リブだけに形成してもよいし、側リブだけに形成してもよい。また、補強肉厚はリアキャビネットと一体成形してもよいし、別部材で別個に成形してもよい。その他、本考案は、考案の要旨を逸脱しない範囲内で自由に変更、改良が可能である。
【図面の簡単な説明】
【００３９】
【図１】本考案に係る電子機器のキャビネットの全体構造を説明する概略斜視図である。
【図２】本考案に係る電子機器のキャビネットの補強肉厚を説明する概略斜視図である。
【図３】本考案に係る電子機器のキャビネットの補強肉厚を説明する概略断面図である。
【図４】従来技術における電子機器のキャビネットの嵌合部の概略断面図である。
【符号の説明】
【００４０】
１  リアキャビネット
２  フロントキャビネット
１２  上リブ
１３  側リブ
１５  補強肉厚部
１００  キャビネット
【図１】
0003107249.tif 000003
【図２】
0003107249.tif 000004
【図３】
0003107249.tif 000005
【図４】
0003107249.tif 000006